(57)【要約】【課題】  スピーカ本体が取り付けられる箇所のケースを確実に補強して、音響特性を向上させることができるスピーカネットを提供する。【解決手段】  上部ケース２の内面にスピーカ本体１１と共に取り付けられ、中央部にスピーカ本体１１とほぼ対応する大きさの大径孔２０を有する第１補強板部１６と、上部ケース２の上面に第１補強板部１６に対向して配置され、ほぼ全域に多数の小孔２１を有する第２補強板部１７とを備えている。従って、第１補強板部１６と第２補強板部１７とで、スピーカ本体１１が取り付けられる箇所の上部ケース２を挟み付けることができる。このため、第１、第２の各補強板部１６、１７によってスピーカ本体１１が取り付けられる箇所の上部ケース２を確実に補強することができ、これによりスピーカ本体１１が取り付けられる箇所の上部ケース２の剛性を十分に確保して、音響特性を向上させることができる。【選択図】        図３
2012222543.tif 000002
【特許請求の範囲】
【請求項１】
スピーカ本体が内部に設けられたケースに、前記スピーカ本体を覆って取り付けられるスピーカネットにおいて、
前記ケースの内面に前記スピーカ本体と共に取り付けられ、中央部に前記スピーカ本体とほぼ対応する大きさの大径孔を有する第１補強板部と、
前記ケースの外面に前記第１補強板部に対向して配置され、ほぼ全域に多数の小孔を有する第２補強板部と
を備えていることを特徴とするスピーカネット。
【請求項２】
請求項１に記載のスピーカネットにおいて、前記第１補強板部と前記第２補強板部とは、連結部によって連結されていることを特徴とするスピーカネット。
【請求項３】
請求項１または請求項２に記載のスピーカネットにおいて、前記第１補強板部には、補強リブが設けられていることを特徴とするスピーカネット。
【請求項４】
請求項１〜請求項３のいずれかに記載のスピーカネットにおいて、前記第１補強板部における前記大径孔には、音響レンズ部が設けられていることを特徴とするスピーカネット。
【発明の詳細な説明】
【技術分野】
【０００１】
この発明は、電子ピアノなどの電子楽器や音響機器に組み込まれたスピーカ本体を保護するためのスピーカネットに関する。
【背景技術】
【０００２】
一般に、スピーカ本体を保護するスピーカネットにおいては、特許文献１に記載されているように、スピーカ本体が内部に設けられたケースの外面に、スピーカ本体を覆った状態で取り付けられるように構成されている。
【先行技術文献】
【特許文献】
【０００３】
【特許文献１】特開平０５−２５２５８４号公報
【発明の概要】
【発明が解決しようとする課題】
【０００４】
このようなスピーカネットは、ケースの外面に設けられた装着溝にスピーカネットの周縁部を装着させて溶着により固定したり、またケースの外面にスピーカネットの周縁部を配置させてビス止めにより固定したりすることにより、ケースに取り付けられるように構成されている。
【０００５】
しかしながら、このようなスピーカネットでは、スピーカ本体を保護することができても、スピーカ本体が取り付けられる箇所のケースをスピーカネットによって補強してケースの剛性を十分に確保することができない。このため、スピーカ本体が音を発生した際に、そのスピーカ本体の発音による振動に伴ってケースが振動してしまい、十分な音響特性が得られないという問題がある。
【０００６】
この発明が解決しようとする課題は、スピーカ本体が取り付けられる箇所のケースを確実に補強して、音響特性の向上を図ることができるスピーカネットを提供することである。
【課題を解決するための手段】
【０００７】
この発明は、スピーカ本体が内部に設けられたケースに、前記スピーカ本体を覆って取り付けられるスピーカネットにおいて、前記ケースの内面に前記スピーカ本体と共に取り付けられ、中央部に前記スピーカ本体とほぼ対応する大きさの大径孔を有する第１補強板部と、前記ケースの外面に前記第１補強板部に対向して配置され、ほぼ全域に多数の小孔を有する第２補強板部とを備えていることを特徴とするスピーカネットである。
【発明の効果】
【０００８】
この発明によれば、ケースの内面にスピーカ本体と共に取り付けられた第１補強板部と、ケースの外面に第１補強板部に対向して配置された第２補強板部とで、スピーカ本体が取り付けられる箇所のケースを挟み付けることができる。このため、第１、第２の各補強板部によってスピーカ本体が取り付けられる箇所のケースを確実に補強することができ、これによりスピーカ本体が取り付けられる箇所のケースの剛性を十分に確保することができるので、音響特性を向上させることができる。
【図面の簡単な説明】
【０００９】
【図１】この発明のスピーカネットを適用した電子鍵盤楽器の実施形態１において、１つのスピーカネットを楽器ケースに取り付ける際の状態を示した平面図である。
【図２】図１に示された電子鍵盤楽器の正面図である。
【図３】図１に示された電子鍵盤楽器のＡ−Ａ矢視における拡大断面図である。
【図４】図３に示された電子鍵盤楽器のスピーカネットを示した拡大斜視図である。
【図５】図４に示されたスピーカネットを展開させた状態を示した拡大斜視図である。
【図６】図１に示された電子鍵盤楽器のスピーカネットを楽器ケースの上部ケースに取り付ける際の状態を示し、（ａ）はスピーカネットを上部ケースにその後方から装着する状態を示した要部の拡大断面図、（ｂ）はスピーカネットを上部ケースに装着した状態を示した要部の拡大断面図である。
【図７】この発明のスピーカネットを適用した電子鍵盤楽器の実施形態２における拡大断面図である。
【図８】図７に示された電子鍵盤楽器のスピーカネットを示した拡大斜視図である。
【図９】図８に示されたスピーカネットを展開させた状態を示した拡大斜視図である。
【図１０】図９に示されたスピーカネットのＢ−Ｂ矢視における要部の拡大断面図である。
【図１１】この発明のスピーカネットを適用した電子鍵盤楽器の実施形態３において、スピーカネットを示した拡大斜視図である。
【図１２】図１１に示されたスピーカネットを展開させた状態を示した拡大斜視図である。
【図１３】図１２に示されたスピーカネットのＣ−Ｃ矢視における要部の拡大断面図である。
【図１４】この発明のスピーカネットを適用した電子鍵盤楽器において、上部ケースに対するスピーカネットの取付構造の変形例を示した拡大断面図である。
【発明を実施するための形態】
【００１０】
（実施形態１）
以下、図１〜図６を参照して、この発明を電子鍵盤楽器に適用した実施形態１について説明する。
この電子鍵盤楽器は、図１および図２に示すように、楽器ケース１を備えている。この楽器ケース１は、上部ケース２と鍵盤シャーシ３とで構成されている。鍵盤シャーシ３は、図１〜図３に示すように、楽器ケース１の下部ケースを兼ねるものであり、合成樹脂によって形成されている。この鍵盤シャーシ３は、その上面に複数の鍵４が並列に配列された状態で、上下方向に回転可能に取り付けられるように構成されている。
【００１１】
この場合、複数の鍵４は、図１〜図３に示すように、白鍵と黒鍵とからなり、図３に示すように、その各後端部（図３では右端部）に肉厚の薄い屈曲部４ａがそれぞれ形成され、この各屈曲部４ａが鍵配列方向に連続する連結部４ｂにそれぞれ取り付けられ、この連結部４ｂが鍵盤シャーシ３の鍵支持部５に取り付けられている。これにより、複数の鍵４は、その前部（図３では左側部）が上方から押鍵されると、屈曲部４ａが撓むことにより、この屈曲部４ａを中心に反時計回りに回転するように構成されている。
【００１２】
また、この複数の鍵４は、図３に示すように、その前部（図３では左側部）が上方から押鍵されて屈曲部４ａを中心に反時計回りに回転すると、鍵４に設けられたスイッチ押圧部６が鍵盤シャーシ３上に設けられたスイッチ部７を押圧するように構成されている。このスイッチ部７は、鍵盤シャーシ３上に設けられたスイッチ基板７ａと、このスイッチ基板７ａ上に配置されたドーム状のゴム膨出部７ｂとを備えている。
【００１３】
これにより、スイッチ部７は、図３に示すように、鍵４のスイッチ押圧部６によってドーム状のゴム膨出部７ｂが押圧されると、このゴム膨出部７ｂが潰れるように弾性変形し、この弾性変形したゴム膨出部７ｂの内部に設けられた可動接点（図示せず）が、スイッチ基板７ａの上面に設けられた固定接点（図示せず）に接触することにより、スイッチ信号を出力するように構成されている。
【００１４】
さらに、この複数の鍵４は、図３に示すように、押鍵された後に初期位置に戻る際に、スイッチ部７におけるゴム膨出部７ｂの弾性復帰力、および鍵４における屈曲部４ａの弾性復帰力によって、鍵４が押し上げられることにより、鍵４の屈曲部４ａを中心に時計回りに回転し、鍵４に設けられたストッパ部８が鍵盤シャーシ３の上限位置規制部９に下側から当接することにより、上限位置が規制されて初期位置に戻るように構成されている。
【００１５】
ところで、上部ケース２は、合成樹脂からなり、図１〜図３に示すように、複数の鍵４の各屈曲部４ａに対応する上方に位置する箇所から下部ケースである鍵盤シャーシ３の後端部（図３では右端部）に亘る箇所における鍵盤シャーシ３上に配置されていると共に、鍵４の配列方向における両側に位置する箇所における鍵盤シャーシ３上にも配置され、この状態で鍵盤シャーシ３上に取り付けられるように構成されている。これにより、複数の鍵４は、図１に示すように、その後端部（図３では右側部）を除いて、楽器ケース１の上方に露出するように構成されている。
【００１６】
この上部ケース２の鍵配列方向における両側部には、図１および図２に示すように、スピーカ部１０がそれぞれ設けられている。このスピーカ部１０は、図３に示すように、スピーカ本体１１とスピーカネット１２とを備えている。スピーカ本体１１は、コーン部１３と磁石部１４とを備えている。コーン部１３は、逆円錐形状のフレーム１３ａの内面にコーン紙１３ｂが設けられた構成になっている。磁石部１４は、振動板（図示せず）を振動させて音を発生させるためのものであり、コーン部１３のフレーム１３ａの下部に設けられている。
【００１７】
この場合、上部ケース２には、図１および図６に示すように、スピーカ本体１１で発生した音を上部ケース２の外部に放音するための大径の放音孔２ａが、コーン部１３の上面に対応して設けられている。また、スピーカ本体１１は、図３に示すように、上部ケース２の下側に位置する鍵盤シャーシ３の底部上に設けられた回路基板１５と接続ケーブル（図示せず）によって電気的に接続されている。この回路基板１５は、楽器の回路全体を制御するための電子回路が搭載されている。この回路基板１５には、スイッチ部７のスイッチ基板７ａが他の接続ケーブル（図示せず）によって電気的に接続されている。
【００１８】
一方、スピーカネット１２は、図３〜図６に示すように、スピーカ本体１１の上面部を覆って保護するためのものであり、上部ケース２の内面（図３では下面）にスピーカ本体１１と共に取り付けられる第１補強板部１６と、上部ケース２の外面（図３では上面）に第１補強板部１６に対向して配置される第２補強板部１７と、この第１、第２の各補強板部１６、１７を連結するための連結部１８とを備え、これらが一体に形成された構成になっている。
【００１９】
これら第１、第２の各補強板部１６、１７および連結部１８は、図４および図５に示すように、ステンレスや鋼板などの剛性の高い金属板からなり、この金属板を折り曲げることによって一体に形成されている。この場合、第１補強板部１６は、図５に示すように、スピーカ本体１１のコーン部１３の上面部よりも大きい四角形の平板状に形成されている。この第１補強板部１６の中央部には、放音用の大径孔２０が、上部ケース２の放音孔２ａとほぼ同じ大きさで上下に貫通して設けられている。
【００２０】
また、この第１補強板部１６の四隅に対応する箇所には、図５に示すように、取付孔１６ａがそれぞれ上下に貫通して設けられている。この複数の取付孔１６ａは、図３に示すように、スピーカ本体１１のコーン部１３における上面部の外周部、つまりコーン部１３のフレーム１３ａにおける上面部の外周部に設けられた鍔部１３ｃの四箇所に設けられた各ビス挿入孔１３ｄにそれぞれ対応して設けられている。
【００２１】
この場合、上部ケース２の内面（図３では下面）には、図３に示すように、複数の取付ボス２ｂが、第１補強板部１６の各取付孔１６ａおよびスピーカ本体１１の各ビス挿入孔１３ｄにそれぞれ対応して設けられている。これにより、第１補強板部１６は、その各取付孔１６ａが上部ケース２の各取付ボス２ｂの下面にそれぞれ対応して配置され、この第１補強板部１６の下面にスピーカ本体１１のフレーム１３ａが配置されて、第１補強板部１６の各取付孔１６ａにスピーカ本体１１の各ビス挿入孔１３ｄがそれぞれ対応するように構成されている。
【００２２】
また、この第１補強板部１６は、図３に示すように、上部ケース２の各取付ボス２ｂの下面に配置され、この第１補強板部１６の下面にスピーカ本体１１のフレーム１３ａが配置された状態で、複数のビス１９が、下側からスピーカ本体１１の各ビス挿入孔１３ｄおよび第１補強板部１６の各取付孔１６ａを通して、複数の取付ボス２ｂにそれぞれ螺着することにより、上部ケース２の内面にスピーカ本体１１と共に取り付けられるように構成されている。
【００２３】
第２補強板部１７は、図５に示すように、第１補強板部１６にほぼ対応する四角形の平板状の板部１７ａと、この板部１７ａの周縁部にその一辺部（図５では連結部１８側に位置する下辺部）を除いて設けられた各側壁部１７ｂとを備えている。これにより、第２補強板部１７は、その全体がほぼ箱形状をなすように形成されている。また、この第２補強板部１７の板部１７ａには、そのほぼ全域に放音用の多数の小孔２１が設けられている。
【００２４】
連結部１８は、図３〜図５に示すように、第１補強板部１６の一辺部（図５では上辺部）と第２補強板部１６の一辺部（図５では下辺部）とをそれぞれ折り曲げ可能に連結するためのものである。この連結部１８にも、そのほぼ全域に放音用の多数の小孔２２が設けられている。この場合、第１、第２の各補強板部１６、１７が連結される連結方向と直交する方向に位置する連結部１８の両端部には、側壁部１８ａがそれぞれ設けられている。
【００２５】
この連結部１８の各側壁部１８ａと第２補強板部１７の各側壁部１７ｂとが互いに隣接する各端部には、図５に示すように、切欠き部１７ｃ、１８ｂがそれぞれ４５度の角度でＶ字形状に形成されている。また、連結部１８の各側壁部１８ａの各他端部にも、切欠き部１８ｂがそれぞれ４５度の角度で形成されている。
【００２６】
これにより、連結部１８は、図４および図５に示すように、第１補強板部１６に連続する一辺部が上方に向けて９０度折り曲げられると、側壁部１８ａの他端部の切欠き部１８ｂがこれに隣接する箇所の第１補強板部１６の上面に当接するように構成されている。また、この連結部１８は、第２補強板部１７に連続する一辺部が第１補強板部１６側に向けて９０度折り曲げられると、各側壁部１７ｂ、１８ａの各切欠き部１７ｃ、１８ｂが互いに当接し、これにより第１、第２の各補強板部１６、１７を上下に対向させるように構成されている。
【００２７】
この場合、スピーカ部１０に対応する箇所に位置する上部ケース２の後面（図３では右側面）には、図３に示すように、第１補強板部１６が挿入するスリット状の長孔２３が設けられている。このスリット状の長孔２３は、第１補強板部１６の厚みとほぼ同じ高さで、且つ連結部１８に連続する第１補強板部１６の一辺部の長さとほぼ同じ長さで横方向（図３では紙面の表裏面方向）に細長く形成されている。また、このスリット状の長孔２３は、上部ケース２の取付ボス２ｂの下面の高さに対応する位置において、上部ケース２の後面に設けられている。
【００２８】
また、スピーカ部１０に対応する箇所に位置する上部ケース２の上面には、図１および図３に示すように、第２補強板部１７の各側壁部１７ｂの下部および連結部１８の各側壁部１８ａの先端部がそれぞれ挿入する装着溝２４が設けられている。この装着溝２４は、図１に示すように、第２補強板部１７における先端部（図１では手前側部）に位置する側壁部１７ｂの下部が挿入する溝部２４ａと、第２補強板部１７における両側（図１では左右の両側）に位置する各側壁部１７ｂの下部がそれぞれ挿入する各溝部２４ｂと、連結部１８の各側壁部１８ａの先端部がそれぞれ挿入する各溝部２４ｃとが、連続して設けられている。
【００２９】
次に、このようなスピーカネット１２を製作する場合について説明する。
まず、１枚の金属板をプレスによって打ち抜き加工することにより、スピーカネット１２の第１、第２の各補強板部１６、１７および連結部１８を展開した状態の大きさに形成する。この後、金属板をプレスによって打ち抜き加工することにより、第１補強板部１６に放音用の大径孔２０を形成する。また、この金属板をパンチング加工し、第１補強板部１６に複数の取付孔１６ａを形成し、且つ第２補強板部１７に放音用の多数の小孔２１を形成すると共に、連結部１８にも放音用の多数の小孔２２を形成する。
【００３０】
また、この金属板をプレスによって切断加工し、第２補強板部１７の各側壁部１７ｂと連結部１８の各側壁部１８ａとが隣接する各端部に、切欠き部１７ｃ、１８ｂをそれぞれ形成すると共に、第２補強板部１７の両側に位置する各側壁部１７ｂと第２補強板部１７の先端部（図５では上辺部）に位置する各側壁部１７ｂとが互いに隣接する箇所の各端部、つまり後述する折り曲げ加工の際に互いに重なり合う部分を切り落とす。
【００３１】
この後、第２補強板部１７の各側壁部１７ｂおよび連結部１８の各側壁部１８ａを、プレスによって折り曲げ加工することにより、上方に向けて垂直に折り曲げる。すると、図５に示すように、第２補強板部１７の各側壁部１７ｂのうち、両側に位置する各側壁部１７ｂの先端側（図５では上辺側）の端部と、第２補強板部１７の先端部（図５では上辺部）に位置する側壁部１７ｂの端部とが、互いに当接した状態で起立し、第２補強板部１７がほぼ箱形状をなすように形成される。これにより、第１補強板部１６と第２補強板部１７とが連結部１８によって連結されて展開された状態のスピーカネット１２が得られる。
【００３２】
この展開された状態のスピーカネット１２を更に折り曲げ加工することにより、第１、第２の各補強板部１６、１７を折り返して重なり合うように折り曲げる。このときには、第１補強板部１６に連続する連結部１８の一辺部（図５では下辺部）を上方に向けて９０度折り曲げると共に、第２補強板部１７に連続する連結部１８の他辺部（図５では上辺部）を第１補強板部１６側に向けて９０度折り曲げる。このときには、連結部１８の各側壁部１８ａにおける他端部の切欠き部１８ｂがこれに隣接する箇所の第１補強板部１６の上面に当接する。
【００３３】
また、このときには、第２補強板部１７の各側壁部１７ｂのうち、各側壁部１７ｂの各切欠き部１７ｃに対応する端部と、連結部１８の各側壁部１８ａの各切欠き部１８ｂに対応する端部とが、互いに当接して連続した状態で、図４に示すように、第１補強板部１６と第２補強板部１７とが連結部１８によって連結された状態で上下に対向する。この後、第１、第２の各補強板部１６、１７および連結部１８の各外表面のうち、少なくとも第２補強板部１７および連結部１８の各外表面を塗装する。これにより、図４に示すスピーカネット１２が製作される。
【００３４】
次に、このように製作されたスピーカネット１２を楽器ケース１の上部ケース２に取り付ける場合について説明する。
まず、図６（ａ）に示すように、上部ケース２の後面（図６（ａ）では右側面）に設けられた長孔２３に、スピーカネット１２の第１補強板部１６を上部ケース２の後方（図６（ａ）では右側）から挿入する。
【００３５】
このときには、上下に対向する第１、第２の各補強板部１６、１７の各先端部、つまり連結部１８と反対側に位置する第１、第２の各補強板部１６、１７の各端部のうち、第１補強板部１６の端部を上部ケース２の後面の長孔２３に対応させると共に、第２補強板部１７の端部を上部ケース２の上面に対応させ、且つこの第２補強板部１７の両側に位置する各側壁部１７ｂを上部ケース２の上面に設けられた装着溝２４の各溝部２４ｂ（図１参照）に対応させる。
【００３６】
この状態で、第２補強板部１７の両側に位置する各側壁部１７ｂを上部ケース２の上面に設けられた装着溝２４の各溝部２４ｂ内に沿って移動させながら、第１補強板部１６を上部ケース２の長孔２３から上部ケース２内に押し込む。すると、第１補強板部１６が上部ケース２の内面に設けられた複数の取付ボス２ｂの下面に沿って移動した後に、第２補強板部１７の先端部（図６（ｂ）では左端部）に位置する側壁部１７ｂの下部が上部ケース２の装着溝２４の前側に位置する溝部２４ａ（図１参照）に装着すると共に、連結部１８の各側壁部１８ａが上部ケース２の後面に設けられた装着溝２４の各溝部２４ｃ（図１参照）に装着する。
【００３７】
これにより、図６（ｂ）に示すように、第１、第２の各補強板部１６、１７の間に上部ケース２の上面部が挟み込まれた状態で、第２補強板部１７が上部ケース２に対して位置決めされ、第１補強板部１６の複数の取付孔１６ａが上部ケース２の複数の取付ボス２ｂに対応する。この後、第２補強板部１７の各側壁部１７ｂの下部を溶着により上部ケース２の装着溝２４内に固定する。これにより、第２補強板部１７が上部ケース２上に強固に固定される。
【００３８】
そして、第１補強板部１６の下面にスピーカ本体１１を配置する。このときには、図３に示すように、スピーカ本体１１のコーン部１３の上面部を第１補強板部１６の下面に配置し、このコーン部１３のフレーム１３ａにおける上面部の外周に設けられた鍔部１３ｃの各ビス挿入孔１３ｄを第１補強板部１６の各取付孔１６ａに対応させる。この状態で、複数のビス１９を、下側からスピーカ本体１１の各ビス挿入孔１３ｄおよび第１補強板部１６の各取付孔１６ａに挿入させて、上部ケース２の各取付ボス２ｂにそれぞれ螺着させる。
【００３９】
これにより、図３に示すように、第１補強板部１６が上部ケース２の内面に対してスピーカ本体１１と共に強固に取り付けられる。この結果、スピーカ本体１１が取り付けられる箇所の上部ケース２は、第１補強板部１６によって強度が補強されると共に、第２補強板部１７によっても強度が補強され、スピーカ本体１１が取り付けられる箇所における上部ケース２の剛性が高められる。
【００４０】
このため、スピーカ本体１１が音を発生する際に、そのスピーカ本体１１の発音による振動に伴って上部ケース２が振動することはなく、スピーカ本体１１で発生した音が、第１補強板部１６の大径孔２０、上部ケース２の放音孔２ａ、第２補強板部１７の多数の小孔２１、および連結部１８の多数の小孔２２を通して、上部ケース２の外部に良好に放音される。これにより、音響特性の向上が図れる。
【００４１】
このように、この電子鍵盤楽器のスピーカネット１２によれば、楽器ケース１の上部ケース２の内面にスピーカ本体１１と共に取り付けられ、且つ中央ぶにスピーカ本体１１の上面部とほぼ対応する大きさの大径孔２０が設けられた第１補強板部１６と、上部ケース２の外面に第１補強板部１６と対向して配置され、且つほぼ全域に多数の小孔２１が設けられた第２補強板部１７とを備えていることにより、この第１、第２の各補強板部１６、１７によってスピーカ本体１１が取り付けられる箇所の上部ケース２を確実に補強して、音響特性を向上させることができる。
【００４２】
すなわち、このスピーカネット１２では、上部ケース２の内面にスピーカ本体１１と共に取り付けられた第１補強板部１６と、上部ケース２の外面に第１補強板部１６と対向して配置された第２補強板部１７とで、スピーカ本体１１が取り付けられる箇所の上部ケース２を挟み付けることができる。このため、第１、第２の各補強板部１６、１７によってスピーカ本体１１が取り付けられる箇所の上部ケース２を確実に補強することができ、これによりスピーカ本体１１が取り付けられる箇所の上部ケース２の剛性を十分に確保することができるので、音響特性を向上させることができる。
【００４３】
この場合、第１補強板部１６と第２補強板部１７とは、連結部１８によって連結されていることにより、スピーカ本体１１が取り付けられる箇所の上部ケース２を第１、第２の各補強板部１６、１７が挟み付ける際に、連結部１８によって第１、第２の各補強板部１６、１７が上部ケース２を確実に上下から挟み付けることができ、この第１、第２の各補強板部１６、１７によって上部ケース２を押え付けることができ、これにより第１、第２の各補強板部１６、１７によって上部ケース２の強度を確実に補強することができる。
【００４４】
また、この連結部１８は、第１、第２の各補強板部１６、１７を連結していることにより、第１補強板部１６を上部ケース２の長孔２３に挿入させるだけで、第１、第２の各補強板部１６、１７が上部ケース２を上下に挟み付けた状態で、スピーカネット１２を上部ケース２に簡単に且つ容易に組み付けることができ、これによりスピーカネット１２の組立て作業を向上させることができる。
【００４５】
また、第１補強板部１６は、上部ケース２の内面に配置され、この第１補強板部１６の下面にスピーカ本体１１が配置され、この状態で複数のビス１９によって上部ケース２の内面にスピーカ本体１１と共に取り付けられていることにより、この第１補強板部１６によってスピーカ本体１１が取り付けられる箇所の上部ケース２を確実に補強することができると共に、スピーカ本体１１を第１補強板部１６によって上部ケース２に対して強固に取り付けることができる。
【００４６】
すなわち、この第１補強板１６は、上部ケース２の内面に設けられた複数の取付ボス２ｂの下面に配置され、この第１補強板部１６の下面にスピーカ本体１１のフレーム１３ａが配置され、この状態で複数のビス１９が、下側からスピーカ本体１１の各ビス挿入孔１３ｄおよび第１補強板部１６の各取付孔１６ａを通して、複数の取付ボス２ｂにそれぞれ螺着することにより、上部ケース２の内面に第１補強板部１６をスピーカ本体１１と共に確実に且つ強固に取り付けることができ、これにより上部ケース２に対する取付強度を向上させることができる。
【００４７】
また、第２補強板部１７は、第１補強板部１６にほぼ対応する四角形の板部１７ａの周縁部に、連結部１８に連続する一辺部を除いて、側壁部１７ｂが設けられているので、この側壁部１７ｂによって第２補強板部１７全体の強度を高めることができる。このため、板部１７ａのほぼ全域に多数の小孔２１を設けても、第２補強板部１７全体の強度を確保することができ、これによりスピーカ本体１１が取り付けられる箇所の上部ケース２の強度を確実に補強することができる。
【００４８】
この場合、第２補強板部１７は、上部ケース２の上面に配置される際に、板部１７ａの周縁部に設けられた側壁部１７ｂの下部が上部ケース２の上面に設けられた装着溝２４に装着し、この状態で溶着により固定されているので、第２補強板部１７を上部ケース２に確実に且つ強固に固定することができると共に、板部１７ａの厚みが薄くても、また板部１７ａに多数の小孔２１が設けられていても、側壁部１７ｂを備えた第２補強板部１７によって上部ケース２の強度を確実に補強することができる。
【００４９】
（実施形態２）
次に、図７〜図１０を参照して、この発明を電子鍵盤楽器に適用した実施形態２について説明する。なお、図１〜図６に示された実施形態１と同一部分には同一符号を付して説明する。
この電子鍵盤楽器は、図９に示すように、スピーカネット３０の第１補強板部１６に複数の補強リブ３１を設けた構成であり、これ以外は実施形態１とほぼ同じ構成になっている。
【００５０】
すなわち、複数の補強リブ３１は、図９に示すように、第１補強板部１６の四隅に対応する各取付孔１６ａを中心にほぼ放射状に形成されている。この補強リブ３１は、図１０に示すように、プレスによるエンボス加工により第１補強板部１６の下面を上面に向けて押し上げることにより、第１補強板部１６の一部を上面に突出させた構成になっている。また、この補強リブ３１は、図７に示すように、その上方に突出する高さが上部ケース２の内面に設けられた取付ボス２ｂとほぼ同じ高さに形成されていることが望ましい。
【００５１】
この場合、上部ケース２の後面の長孔３２は、その横方向（図７では紙面の表裏面方向）の長さが、実施形態１と同様、第１補強板部１６の１辺部（図９では連結部１８に連続する上辺部）の長さとほぼ同じ長さで形成されているが、その高さが実施形態１よりも高く形成されている。すなわち、この長孔３２は、その高さが第１補強板部１６に形成された補強リブ３１の高さだけ、実施形態１よりも高く形成されている。
【００５２】
また、複数の補強リブ３１は、図７に示すように、第１補強板部１６が上部ケース２の長孔３２を通して上部ケース２内に挿入する際に、上部ケース２の各取付ボス２ｂに当接することなく、上部ケース２の各取付ボス２ｂが各補強リブ３１の間を通過すように、図９に示すように、それぞれ第１補強板部１６の各取付孔１６ａから少し離れた位置に形成されている。
【００５３】
このようなスピーカネット３０を上部ケース２に取り付ける際には、実施形態１と同様、第２補強板部１７の両側に位置する各側壁部１７ｂを上部ケース２の上面に設けられた装着溝２４の各溝部２４ｂ（図１参照）内に沿って移動させながら、第１補強板部１６を上部ケース２の長孔３２から上部ケース２内に押し込む。すると、第１補強板部１６が上部ケース２の内面（図７では下面）に設けられた複数の取付ボス２ｂの下面に沿って移動すると共に、第１補強板部１６の各補強リブ３１が上部ケース２の内面に沿って移動する。
【００５４】
このときには、上部ケース２の各取付ボス２ｂが第１補強板部１６の各補強リブ３１に当接することなく、各補強リブ３１の間を通り抜ける。そして、第２補強板部１７の先端部（図７では左端部）に位置する側壁部１７ｂの下部は、実施形態１と同様、上部ケース２の装着溝２４の溝部２４ａ（図１参照）に装着すると共に、連結部１８の各側壁部１８ａの先端部が上部ケース２の後面に設けられた装着溝２４の溝部２４ｃ（図１参照）に装着する。
【００５５】
これにより、図７に示すように、第１、第２の各補強板部１６、１７の間に上部ケース２の上面部が挟み込まれた状態で、第２補強板部１７が上部ケース２に対して位置決めされ、第１補強板部１６の複数の取付孔１６ａが上部ケース２の複数の取付ボス２ｂに対応すると共に、この複数の取付孔１６ａの周囲に位置する各補強リブ３１が取付ボス２ｂの周囲に位置する上部ケース２の内面に当接する。この後、実施形態１と同様、第２補強板部１７の各側壁部１７ｂの下部を溶着により上部ケース２の装着溝２４内に固定する。これにより、第２補強板部１７が上部ケース２上に強固に固定される。
【００５６】
そして、第１補強板部１６の下面にスピーカ本体１１を取り付ける。このときには、実施形態１と同様、スピーカ本体１１のコーン部１３の上面部を第１補強板部１６の下面に配置し、このコーン部１３のフレーム１３ａにおける上面部の外周に設けられた鍔部１３ｃの各ビス挿入孔１３ｄを第１補強板部１６の各取付孔１６ａに対応させる。この状態で、複数のビス１９を下側からスピーカ本体１１の各ビス挿入孔１３ｄおよび第１補強板部１６の各取付孔１６ａに挿入させて、上部ケース２の各取付ボス２ｂにそれぞれ螺着させる。
【００５７】
すると、図７に示すように、第１補強板部１６の各補強リブ３１が上部ケース２の内面に押し付けられ、この状態で第１補強板部１６が上部ケース２の内面に対してスピーカ本体１１と共に強固に取り付けられる。この結果、スピーカ本体１１が取り付けられる箇所の上部ケース２は、第１補強板部１６および複数の補強リブ３１によって、その強度が実施形態１よりも、強固に補強されると共に、第２補強板部１７によっても強度が補強され、スピーカ本体１１が取り付けられる箇所における上部ケース２の剛性が十分に高められる。
【００５８】
このため、スピーカ本体１１が音を発生する際に、そのスピーカ本体１１の発音による振動に伴って上部ケース２が振動するのを実施形態１よりも確実に抑えて、スピーカ本体１１で発生した音が、第１補強板部１６の大径孔２０、上部ケース２の放音孔２ａ、第２補強板部１７の多数の小孔２１、および連結部１８の多数の小孔２２を通して、上部ケース２の外部に良好に放音される。これにより、実施形態１よりも音響特性の向上が図れる。
【００５９】
このように、この実施形態２のスピーカネット３０によれば、実施形態１と同様の作用効果があるほか、第１補強板部１６に複数の補強リブ３１が設けられているので、この複数の補強リブ３１によって第１補強板部１６の強度を高めることができる。このため、第１補強板部１６の厚みを薄く形成しても、あるいはアルミニウムなどの軽くて加工し易い材料を用いても、第１補強板部１６の強度を十分に確保することができる。
【００６０】
この場合、複数の補強リブ３１は、第１補強板部１６の各取付孔１６ａを中心にほぼ放射状に形成されていると共に、その高さが上部ケース２の内面に設けられた複数の取付ボス２ｂとほぼ同じ高さに形成されているので、複数のビス１９によって第１補強板部１６をスピーカ本体１１と共に上部ケース２の各取付ボス２ｂに取り付けた際に、第１補強板部１６の各補強リブ３１を取付ボス２ｂの周囲に位置する上部ケース２の内面に押し付けることができる。
【００６１】
このため、第１補強板部１６の複数の補強リブ３１によって第１補強板部１６を上部ケース２の内面に対してスピーカ本体１１と共に強固に取り付けることができる。これにより、スピーカ本体１１が取り付けられる箇所の上部ケース２の強度を、第１補強板部１６およびその複数の補強リブ３１によって、実施形態１よりも、確実に且つ強固に補強することができ、より一層、スピーカ本体１１が取り付けられる箇所における上部ケース２の剛性を高めることができる。
【００６２】
（実施形態３）
次に、図１１〜図１３を参照して、この発明を電子鍵盤楽器に適用した実施形態３について説明する。この場合にも、図１〜図６に示された実施形態１と同一部分に同一符号を付して説明する。
この電子鍵盤楽器は、図１２に示すように、スピーカネット３５の第１補強板部１６に音響レンズ部３６を設けた構成であり、これ以外は実施形態１とほぼ同じ構成になっている。
【００６３】
この場合、第１補強板部１６の大径孔２０には、図１２に示すように、梁部３７が十字状に架け渡されており、この十字状の梁部３７が交差する部分には、音響レンズ部３６が設けられている。この音響レンズ部３６は、図１２および図１３に示すように、上下に貫通する複数の貫通孔３６ａと、この貫通孔３６ａの縁部における上面に傾斜して起立した複数の指向性フィン３６ｂとを備え、これらが梁部３７の交差する部分を切り起すことによって形成されている。
【００６４】
この場合、複数の貫通孔３６ａは、図１２および図１３に示すように、楽器ケース１の前後方向である第１補強板部１６の前後方向（図１３では左右方向）に沿って配列された状態で、第１補強板部１６の左右方向（図１３では紙面の表裏面方向）にそれぞれ細長く形成されている。複数の指向性フィン３６ｂは、図１３に示すように、スピーカ本体１１で発生した音を上部ケース２の上面から手前側上方（図１３では左側上方）に向けて放音させるためのものであり、上部ケース２の前側上方（図１３では左側上方）に向けて斜めに傾斜した状態で、複数の貫通孔３６ａの各縁部にそれぞれ起立して形成されている。
【００６５】
また、この音響レンズ部３６は、スピーカネット３５が上部ケース２に取り付けられた際に、スピーカ本体１１のコーン部１３の上面におけるほぼ中央部に配置されるように構成されている。これにより、音響レンズ部３６は、スピーカ本体１１で発生した音が第１補強板部１６の大径孔２０を通過する際に、十字状に架け渡された梁部３７の交差部分に設けられた複数の貫通孔３６ａを通過して、上部ケース２の放音孔２ａおよび第２補強板部１７の多数の小孔２１から放音される音が、複数の指向性フィン３６ｂによって上部ケース２の前側上方（図１３では左側上方）に向けて放音されるように構成されている。
【００６６】
このような実施形態３のスピーカネット３５によれば、実施形態１と同様の作用効果があるほか、第１補強板部１６に設けられた音響レンズ部３６によってスピーカ本体１１で発生した音を、所定方向つまり楽器ケース１の前側上方に向けて良好に放音することができるので、音響性能が良く、より一層、音響特性の向上を図ることができる。
【００６７】
この場合、音響レンズ部３６は、梁部３７が交差する部分に上下に貫通して向けられた複数の貫通孔３６ａと、梁部３７が交差する部分の上面に傾斜して起立した状態で設けられた複数の指向性フィン３６ｂとを備えているので、スピーカ本体１１で発生した音が複数の貫通孔３６ａを通過すると、その通過した音を複数の指向性フィン３６ｂの傾き方向に向けて指向することができ、これにより音響特性を高めることができる。
【００６８】
なお、上述した実施形態１〜３では、上部ケース２の後面に長孔２３、３２を設け、上部ケース２の後方からスピーカネット１２、３０、３５の第１補強板部１６を上部ケース２の長孔２３、３２に挿入させて、スピーカネット１２、３０、３５を上部ケース２に取り付けるように構成した場合について述べたが、これに限らず、例えば図１４に示す変形例のように、スピーカネット１２、３０、３５が上部ケース２の前方（図１４では左側）から装着するように構成しても良い。
【００６９】
この場合には、上部ケース２の前面（図１４では左側面）に長孔４０を設け、上部ケース２の前方から実施形態１〜３の各スピーカネット１２、３０、３５の第１補強板部１６を上部ケース２の長孔４０に挿入させて、実施形態１〜３の各スピーカネット１２、３０、３５を上部ケース２に取り付けるように構成すれば良い。
【００７０】
また、上記実施形態１〜３およびその変形例では、電子鍵盤楽器に適用した場合について述べたが、必ずしも電子鍵盤楽器である必要はなく、例えばステレオなどの音響機器、あるいはラジオやテレビなどのスピーカ本体を備えた電子機器などにも広く適用することができる。
【００７１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７２】
（付記）
請求項１に記載の発明は、スピーカ本体が内部に設けられたケースに、前記スピーカ本体を覆って取り付けられるスピーカネットにおいて、
前記ケースの内面に前記スピーカ本体と共に取り付けられ、中央部に前記スピーカ本体とほぼ対応する大きさの大径孔を有する第１補強板部と、前記ケースの外面に前記第１補強板部に対向して配置され、ほぼ全域に多数の小孔を有する第２補強板部とを備えていることを特徴とするスピーカネットである。
【００７３】
請求項２に記載の発明は、請求項１に記載のスピーカネットにおいて、前記第１補強板部と前記第２補強板部とは、連結部によって連結されていることを特徴とするスピーカネットである。
【００７４】
請求項３に記載の発明は、請求項１または請求項２に記載のスピーカネットにおいて、前記第１補強板部には、補強リブが設けられていることを特徴とするスピーカネットである。
【００７５】
請求項４に記載の発明は、請求項１〜請求項３のいずれかに記載のスピーカネットにおいて、前記第１補強板部における前記大径孔には、音響レンズ部が設けられていることを特徴とするスピーカネットである。
【符号の説明】
【００７６】
１  楽器ケース
２  上部ケース
２ａ  放音孔
２ｂ  取付ボス
３  鍵盤シャーシ
４  鍵
１０  スピーカ部
１１  スピーカ本体
１２、３０、３６  スピーカネット
１６  第１補強板部
１６ａ  取付孔
１７  第２補強板部
１７ａ  板部
１７ｂ  側壁部
１８  連結部
１８ａ  側壁部
２０  大径孔
２１、２２  小孔
２３、３２、４０  長孔
２４  装着溝
３１  補強リブ
３６  音響レンズ部
３６ａ  貫通孔
３６ｂ  指向性フィン
【図１】
2012222543.tif 000003
【図２】
2012222543.tif 000004
【図３】
2012222543.tif 000005
【図４】
2012222543.tif 000006
【図５】
2012222543.tif 000007
【図６】
2012222543.tif 000008
【図７】
2012222543.tif 000009
【図８】
2012222543.tif 000010
【図９】
2012222543.tif 000011
【図１０】
2012222543.tif 000012
【図１１】
2012222543.tif 000013
【図１２】
2012222543.tif 000014
【図１３】
2012222543.tif 000015
【図１４】
2012222543.tif 000016